(57)【要約】【課題】テントの寿命を長くすることができるとともに、設備コストを低減することができる搬送システムを提供すること。【解決手段】一対のテント用レール２と、テント用レール２の外側に配設された一対のクレーン用レール３と、外郭形状を変えない状態で移動可能な可動式テント４と、クレーン用レール３を移動可能な門型クレーン５と、物品Ｐが載置された保管スペース６と、物品Ｐが載置されていない空きスペース７と、を有し、門型クレーン５は屋外に設置されており、可動式テント４の外部において移動可能になっており、保管時には、可動式テント４を保管スペース６に位置させ、搬送時には、可動式テント４を空きスペース７側に移動させるとともに、可動式テント４が移動することによって形成された開放スペースに門型クレーン５を位置させて保管スペース６から外部に物品Ｐを搬送することを特徴とする。【選択図】図１
2014162576.tif 000002
【特許請求の範囲】
【請求項１】
一対のテント用レールと、
前記テント用レールの外側において前記テント用レールに沿って配設された一対のクレーン用レールと、
外郭形状を変えない状態で前記テント用レールを移動可能な可動式テントと、
前記クレーン用レールを移動可能な門型クレーンと、
前記テント用レールの内側において物品が載置された保管スペースと、
前記テント用レールの内側において前記物品が載置されていない空きスペースと、を有し、
前記門型クレーンは屋外に設置されており、前記可動式テントの外部において移動可能になっており、
保管時には、前記可動式テントを前記保管スペースに位置させ、
搬送時には、前記可動式テントを前記空きスペース側に移動させるとともに、前記可動式テントが移動することによって形成された開放スペースに前記門型クレーンを位置させて前記保管スペースから外部に前記物品を搬送することを特徴とする搬送システム。
【請求項２】
前記門型クレーンの脚部と前記可動式テントとの間において、前記テント用レールに沿って前記物品が移動可能な搬送スペースが形成されており、
前記搬送時には、前記搬送スペースを通って前記物品が搬送されることを特徴とする請求項１に記載の搬送システム。
【発明の詳細な説明】
【技術分野】
【０００１】
本発明は、テント内に載置された物品を外部に搬送する搬送システムに関する。
【背景技術】
【０００２】
例えば、特許文献１には、内部に物品を保管する蛇腹式テントが記載されている。当該蛇腹式テントによれば、保管時にはテントを伸長させて大きな保管スペースを確保し、物品が風雨にさらされるのを防ぐことができる。また、搬送時にはテントを縮退させて物品の上方を開放させることにより、クレーン等を用いて外部に容易に搬送することができる。
【０００３】
一方、特許文献２には、複数の支柱及び布製の天井体を備えた仮設防風雨装置と、当該仮設防風雨装置の内部に配設された門型クレーンとを有する搬送システムが記載されている。門型クレーンは、地面に配設された一対のレールに沿って移動するように構成されている。門型クレーンが、仮設防風雨装置の内部に配設されているため、物品が風雨にさらされることを防ぐとともに、搬送作業を室内で行うことができる。
【先行技術文献】
【特許文献】
【０００４】
【特許文献１】特開昭６３−２０００５７号公報
【特許文献１】特開平７−２０７９４９号公報
【発明の概要】
【発明が解決しようとする課題】
【０００５】
ところが、特許文献１に係る蛇腹式テントであると、テントを伸縮させることによりテントを構成する膜材に大きな負担がかかるため、膜材の劣化が早いという問題があった。
【０００６】
一方、特許文献２に係る搬送システムにおいて大型の門型クレーンを用いる場合、それに伴って仮設防風雨装置がさらに大型になるため、設備コストが増加するという問題があった。
【０００７】
本発明はこのような課題を解決するために創作されたものであり、テントの寿命を長くすることができるとともに、設備コストを低減することができる搬送システムを提供することを目的とする。
【課題を解決するための手段】
【０００８】
本発明は、前記課題を解決するため、一対のテント用レールと、前記テント用レールの外側において前記テント用レールに沿って配設された一対のクレーン用レールと、外郭形状を変えない状態で前記テント用レールを移動可能な可動式テントと、前記クレーン用レールを移動可能な門型クレーンと、前記テント用レールの内側において物品が載置された保管スペースと、前記テント用レールの内側において前記物品が載置されていない空きスペースと、を有し、前記門型クレーンは屋外に設置されており、前記可動式テントの外部において移動可能になっており、保管時には、前記可動式テントを前記保管スペースに位置させ、搬送時には、前記可動式テントを前記空きスペース側に移動させるとともに、前記可動式テントが移動することによって形成された開放スペースに前記門型クレーンを位置させて前記保管スペースから外部に前記物品を搬送することを特徴とする。
【０００９】
かかる構成によれば、保管時には物品が風雨にさらされるのを防ぐとともに、搬送時には可動式テントを空きスペースへ移動させることにより、門型クレーンで容易に搬送することができる。また、可動式テントは、外郭の形状を変えない状態で移動するため、テントを構成する膜材の劣化を防ぐことができる。また、大型の門型クレーンを用いる場合でも、当該門型クレーンの内側に可動式テントを配設するため、可動式テントの大型化を防ぐことができ、設備コストを低減することができる。
【００１０】
また、前記門型クレーンの脚部と前記可動式テントとの間において、前記テント用レールに沿って前記物品が移動可能な搬送スペースが形成されており、前記搬送時には、前記搬送スペースを通って前記物品が搬送されることが好ましい。
【００１１】
かかる構成によれば、テント用レールに沿って物品を搬送する際に、物品と可動式テントとの接触を回避することができる。
【発明の効果】
【００１２】
本発明に係る搬送システムによれば、テントの寿命を長くすることができるとともに、設備コストを低減することができる。
【図面の簡単な説明】
【００１３】
【図１】本発明に係る搬送システムの実施形態を示す概略斜視図である。
【図２】本実施形態に係る搬送システムを示す概略平面図である。
【図３】図１のＩ−Ｉ矢視正面図である。
【発明を実施するための形態】
【００１４】
本発明の実施形態について図面を用いて詳細に説明する。図１に示すように、本実施形態に係る搬送システム１は、テント用レール２と、クレーン用レール３と、可動式テント４と、門型クレーン５と、保管スペース６と、空きスペース７と、搬送スペース８とで主に構成されている。
【００１５】
搬送システム１は、地面Ｇに載置された物品Ｐを、工場Ｋの近傍へ搬送するためのシステムである。以下の説明における上下、左右、前後は、図１の矢印に従う。
【００１６】
図１に示すように、テント用レール２，２は、地面Ｇにおいて、前後方向と平行に互いに離間して配設されている。テント用レール２，２の上を可動式テント４が前後方向に移動可能になっている。
【００１７】
クレーン用レール３，３は、地面Ｇにおいて、前後方向と平行に互いに離間して配設されている。クレーン用レール３，３は、テント用レール２，２の外側に配設されている。クレーン用レール３，３の上を門型クレーン５が前後方向に移動可能になっている。
【００１８】
可動式テント４は、テント用レール２に沿って移動可能に形成されたテントである。可動式テント４は、保管スペース６に載置された物品Ｐの側方及び上方を覆い、物品Ｐが風雨にさらされるのを防ぐ。可動式テント４は、後記する各保管スペース６を完全に覆う大きさになっている。
【００１９】
可動式テント４は、一対の壁部４１と、壁部４１，４１の上端に設けられた屋根部４２と、壁部４１，４１及び屋根部４２に取り付けられた膜材４３と、前側開口部４４と、後側開口部４５と、で構成されている。また、具体的な図示は省略するが、可動式テント４には、モータ等で構成された駆動手段が形成されている。可動式テント４の駆動手段を駆動させることによって、テント用レール２上を可動式テント４が移動するようになっている。この際、可動式テント４は、その外郭形状を変えない状態で移動する。
【００２０】
可動式テント４は、単数でもよいし複数でもよいが、本実施形態では工場Ｋ側から順番に第一可動式テント４Ａ、第二可動式テント４Ｂ、第三可動式テント４Ｃ及び第四可動式テント４Ｄの４つのテントを並設している。第一可動式テント４Ａ〜第四可動式テント４Ｄは、開口部分の構造を除いては概ね同等の構造になっており、それぞれ独立して移動可能になっている。
【００２１】
第一可動式テント４Ａ〜第四可動式テント４Ｄには、前側開口部４４及び後側開口部４５を開閉可能なシートを適宜設ければよい。本実施形態では、第一可動式テント４Ａ及び第三可動式テント４Ｃには、前側開口部４４を開閉可能にする開閉式のシートＳ（図３参照）が設けられている。また、図示は省略するが、第二可動式テント４Ｂ及び第四可動式テント４Ｄの後側開口部４５を開閉可能にする開閉式のシートが設けられている。
【００２２】
また、本実施形態では、第一可動式テント４Ａ〜第四可動式テント４Ｄの後側開口部４５には、連棟用庇４６が設けられている。連棟用庇４６は、壁部４１，４１及び屋根部４２よりも外側に一回り大きく形成された張り出し部分である。図２に示すように、例えば、第二可動式テント４Ｂの前端が、第一可動式テント４Ａの連棟用庇４６の内側に入り込みオーバーラップするようになっている。
【００２３】
図１に示すように、門型クレーン５は、脚部５１，５１と、ビーム部５２と、ウインチ部５３と、図示しない駆動手段とで主に構成されている。脚部５１は、地面Ｇに対して略垂直に立設されている。脚部５１，５１間の幅は、可動式テント４の幅よりも大きくなっている。ビーム部５２は、脚部５１，５１に架け渡されている。ビーム部５２は、物品Ｐを吊り上げて搬送する際に、可動式テント４に接触しない高さ位置に配設されている。
【００２４】
ウインチ部５３は、ビーム部５２のレール上を左右方向に移動するとともに、所定の位置でチェーンＣに取り付けられたフックＦを昇降させる。フックＦに物品Ｐを係止させることにより、物品Ｐを吊り上げ又は吊り下げることができる。門型クレーン５の駆動手段を駆動させることによって、クレーン用レール３，３上を門型クレーン５が移動するようになっている。
【００２５】
図２に示すように、保管スペース６は、地面Ｇのテント用レール２，２の間において物品Ｐを保管する空間領域である。保管スペース６は、本実施形態では、工場Ｋ側から順番に、第一保管スペース６Ａ、第二保管スペース６Ｂ、第三保管スペース６Ｃ及び第四保管スペース６Ｄを備えている。第一保管スペース６Ａ〜第四保管スペース６Ｄは、いずれも同じ面積（平面積）になっている。
【００２６】
空きスペース７は、地面Ｇのテント用レール２，２の間において物品Ｐを保管しない空間領域である。空きスペース７は、本実施形態では、工場Ｋ側から順番に、第一空きスペース７Ａ、第二空きスペース７Ｂ及び第三空きスペース７Ｃを備えている。
【００２７】
第一空きスペース７Ａは、工場Ｋと第一保管スペース６Ａとの間に形成されている。第一空きスペース７Ａには、主としてトラック等の輸送車両が待機する領域である。第一空きスペース７Ａの面積（平面積）は、第一保管スペース６Ａの面積よりも小さくなっている。言い換えると、テント用レール２，２間の長さは一定であるため、第一空きスペース７Ａの前後方向の長さは、第一保管スペース６Ａの前後方向の長さよりも小さくなっている。
【００２８】
第二空きスペース７Ｂは、第二保管スペース６Ｂと第三保管スペース６Ｃとの間に形成されている。第二空きスペース７Ｂは、第二可動式テント４Ｂ又は第三可動式テント４Ｃを退避させるための空間領域である。第二空きスペース７Ｂの前後方向の長さは、可動式テント４の前後方向の長さと略同等かそれよりも長くなっている。これにより、第二可動式テント４Ｂを第二空きスペース７Ｂに退避させると、第二保管スペース６Ｂの全部が外部に露出するようになっている。
【００２９】
また、第三空きスペース７Ｃは、第四保管スペース６Ｄよりも後側に形成されている。第三空きスペース７Ｃは、第四可動式テント４Ｄを退避させるための空間領域である。第三空きスペース７Ｃの前後方向の長さは、可動式テント４の前後方向の長さと略同等かそれよりも長くなっている。これにより、第四可動式テント４Ｄを第三空きスペース７Ｃに退避させると、第四保管スペース６Ｄの全部が外部に露出するようになる。
【００３０】
搬送スペース８は、図２及び図３に示すように、可動式テント４の壁部４１と門型クレーン５の脚部５１との間において、前後方向に亘って設けられた領域である。搬送スペース８は、少なくとも物品Ｐが通る幅で形成されている。なお、搬送スペース８は、門型クレーン５の脚部５１、５１の外側において前後方向に亘って設けるように構成してもよい。
【００３１】
次に、本実施形態に係る搬送システムの搬送方法について説明する。図１に示すように、第一保管スペース６Ａ、第二保管スペース６Ｂ、第三保管スペース６Ｃ及び第四保管スペース６Ｄに複数の物品Ｐが載置されているものとする。
【００３２】
＜保管方法＞
保管方法は、図２に示すように、物品Ｐの周囲を可動式テント４で覆う。具体的には、第一可動式テント４Ａを第一保管スペース６Ａに、第二可動式テント４Ｂを第二保管スペース６Ｂに、第三可動式テント４Ｃを第三保管スペース６Ｃに、第四可動式テント４Ｄを第四保管スペース６Ｄにそれぞれ位置させる。これにより、物品Ｐが風雨にさらされるのを防ぐことができる。
【００３３】
また、第一可動式テント４Ａの連棟用庇４６と第二可動式テント４Ｂの後端とをオーバーラップさせることにより、第一可動式テント４Ａ及び第二可動式テント４Ｂの互いの内部空間を連通させることができる。また、このような構成によれば、第一可動式テント４Ａと第二可動式テント４Ｂとの突き合わせ部から風雨が入り込むのを防ぐことができる。
【００３４】
＜搬送方法＞
搬送方法では、可動式テント移動工程と、門型クレーン移動工程と、物品搬送工程とを行う。ここでは、図２の状態から、第二保管スペース６Ｂの物品Ｐを、第一空きスペース７Ａに待機した搬送車両まで搬送する場合を説明する。
【００３５】
可動式テント移動工程では、第二可動式テント４Ｂのみを後方に移動させて、第二可動式テント４Ｂを第二空きスペース７Ｂに位置させる。これにより、第二保管スペース６Ｂの全体が外部に露出する。保管スペース６のうち、第二可動式テント４Ｂが移動したことによって、外部に露出した空間を「開放スペース」と言う。
【００３６】
門型クレーン移動工程では、門型クレーン５を開放スペースに移動させつつ、搬送すべき物品Ｐの直上にビーム部５２が位置するようにする。そして、ウインチ部５３を移動させて物品Ｐの直上にウインチ部５３が位置するようにする。そして、フックＦを下降させて物品Ｐを係止し、物品Ｐを吊り上げる。
【００３７】
さらに、ウインチ部５３を移動させてウインチ部５３が搬送スペース８に位置するようにする。そして、門型クレーン５をクレーン用レール３，３に沿って搬送車両の直上にビーム部５２が位置するまで移動させる。そして、ウインチ部５３を操作して搬送車両に物品Ｐを降下させる。
【００３８】
物品Ｐの搬送が終了したら、第二可動式テント４Ｂを元の位置に戻し、第二保管スペース６Ｂに載置された残りの物品Ｐを第二可動式テント４Ｂで覆う。
【００３９】
以上説明した本実施形態にかかる搬送システム１によれば、可動式テント４を用いることにより、保管時には物品Ｐが風雨にさらされるのを防ぐとともに、搬送時には門型クレーン５で容易に搬送することができる。また、可動式テント４は、外郭の形状を変えない状態で移動するため、可動式テント４を構成する膜材４３の劣化を防ぐことができる。
【００４０】
また、大型の門型クレーン５を用いる場合でも、当該門型クレーン５の内側に可動式テント４を配設するため、可動式テント４の大型化を防ぐことができ、設備コストを低減することができる。
【００４１】
また、本実施形態では、搬送スペース８が形成されており、搬送時には搬送スペース８を通って物品Ｐが搬送される。これにより、門型クレーン５を用いて前後方向に物品Ｐを搬送する際に、物品Ｐと可動式テント４との接触を回避することができる。
【００４２】
以上本発明の実施形態について説明したが、本発明の趣旨に反しない範囲において適宜設計変更が可能である。例えば、第一保管スペース６Ａに載置された物品Ｐを搬送する場合は、第一可動式テント４Ａ及び第二可動式テント４Ｂを後方に退避させて、第一保管スペース６Ａに「開放スペース」を形成し、当該開放スペースに門型クレーン５を位置させて物品Ｐを搬送する。
【００４３】
また、第三保管スペース６Ｃの物品を搬送する場合は、第三可動式テント４Ｃ及び第四可動式テント４Ｄを後方に退避させるか、もしくは、第三可動式テント４Ｃのみを前方に退避させて第三保管スペース６Ｃに「開放スペース」を形成して搬送してもよい。
【００４４】
また、本実施形態では、可動式テント４をテント一個分移動させて搬送を行ったが、搬送すべき物品Ｐの位置によっては、必要な分だけ可動式テント４を移動させるだけでもよい。
【００４５】
また、本実施形態では、３つの空きスペースを設けたが、空きスペースの設置数を限定するものではない。空きスペース７は、テント用レール２，２間において、可動式テント４の少なくとも一個分の退避スペースがあればよい。
【００４６】
また、連棟用庇４６は、本実施形態では、可動式テント４の後側に設けたが、可動式テント４の前側に設けて、隣り合う可動式テントとオーバーラップするようにしてもよい。また、連棟用庇４６は省略してもよい。
【符号の説明】
【００４７】
１        搬送システム
２        テント用レール
３        クレーン用レール
４        可動式テント
４Ａ      第一可動式テント
４Ｂ      第二可動式テント
４Ｃ      第三可動式テント
４Ｄ      第四可動式テント
５        門型クレーン
６        保管スペース
６Ａ      第一保管スペース
６Ｂ      第二保管スペース
６Ｃ      第三保管スペース
６Ｄ      第四保管スペース
７        空きスペース
７Ａ      第一空きスペース
７Ｂ      第二空きスペース
７Ｃ      第三空きスペース
８        搬送スペース
４１      壁部
４２      屋根部
４３      膜材
４４      前側開口部
４５      後側開口部
５１      脚部
５２      ビーム部
５３      ウインチ部
Ｆ        フック
Ｋ        工場
【図１】
2014162576.tif 000003
【図２】
2014162576.tif 000004
【図３】
2014162576.tif 000005